(57)【特許請求の範囲】
【請求項１】
架台と、前記架台上に設置され排水口用の開口部を有し前記開口部に向けて傾斜した排水勾配を形成した基材と、前記基材上に設置され、前記基材の上面を覆い耐水性と可撓性及び耐摩耗性を有する表面材と、前記開口部に取付けられ前記排水口の一部を形成するとともに、上端部において排水口の中央側に相対する方向に突出させた外周フランジを有し、下端部において下方に延出する延出管を備えた筒状の排水枡部材と、を備え、
前記外周フランジは前記開口部における前記表面材の端部全周を上方より覆うとともに、前記外周フランジの上面を前記表面材の排水勾配面より下方とされ、
前記延出管の外周に筒状の枡受部材が取り付けられ、該枡受部材の下端部に前記延出管の外周部を覆って前記延出管と一体化された筒状のトラップ挿入部が一体化され、前記枡受部材の外周部に係合部が形成されるとともに、
前記基材の開口部下面側周縁部に段部からなる位置決め部が形成され、前記位置決め部に枠状の排水枡部材受け具が取り付けられ、前記基材開口部に挿通された前記排水枡部材が、前記排水枡部材受け具の内周部を前記係合部に係合して前記枡受部材を固定した前記排水枡部材受け具により水平方向および上下方向に位置決めされたことを特徴とする洗い場床パン。
【請求項２】
前記排水枡部材の外周面と前記基材の開口部内周面との間に接着剤が充填され、前記外周フランジの下面内周側に環状の止水部材が前記外周フランジと前記基材の開口部周縁とに挟まれて介在されたことを特徴とする請求項１に記載の洗い場床パン。
【請求項３】
前記排水枡部材の外周フランジに前記排水口の中央に向け下方に傾斜した排水勾配が設けられたことを特徴とする請求項１または請求項２に記載の洗い場床パン。
【発明の詳細な説明】
【技術分野】
【０００１】
本発明は、浴室ユニットの架台より順に構成部材を積段することで構成されている浴室用洗い場床パンにおいて排水口部分の構成に関する。
【背景技術】
【０００２】
従来の浴室用の洗い場床パンの排水口部の構成として、特許文献１に記載された洗い場床は、基材と表面材がパンまたは床パン本体と一体的に形成された排水口部枡部を有し、表面材の排水口部端部が締め付けフランジと干渉しない位置に配置され、且つ表面材端部はコーキング剤で覆われた構造が提案されている。
また、特許文献２に記載された洗い場床パンは、排水口端部の表面材と床面材の間に排水ピットのフランジ部を挿入し、表面材下面とフランジ部上面を接合した構造が提案されている。
【０００３】
さらに、特許文献３に記載された洗い場床は、排水用開口端部の表面層と基材の間において、基材に設けた切欠き部にシリコン等のシール部材を充填した構造が提案されている。
【先行技術文献】
【特許文献】
【０００４】
【特許文献１】特開２０１０−２２９７９０号公報
【特許文献２】特開２０１３−２０４２５９号公報
【特許文献３】特開２００９−１０２９４８号公報
【発明の概要】
【発明が解決しようとする課題】
【０００５】
特許文献１に記載の洗い場床では、表面材端部を排水トラップと干渉しない位置にコーキングする必要があり、コーキングの範囲や塗布量等の制限が発生し、作業性が悪化すると共に、コーキング仕上げの精度が求められる等の問題点があった。
【０００６】
特許文献２に記載の洗い場床パンでは、表面材の下面に排水枡部のフランジを接合していることから、表面材の端部が浴室内の洗い場側に露出しており、表面材の端部を綺麗に仕上げる必要があり、また、使用中に端部が引っ掛かりやすく、剥がれやめくれを発生する虞がある、さらに、床面材と表面材及び排水ピットの接着剤が硬化するまで仮固定する必要があり、施行時間が掛かる等の問題点があった。
【０００７】
特許文献３に記載の洗い場床では、表面層は浴室内の洗い場側に露出しており、特許文献２と同様に仕上げや剥がれ及びめくれに対する問題点の他に、特許文献１と同様にコーキング作業による問題点があった。
【０００８】
本発明は、上記従来の問題点に鑑みなされたものであって、洗い場床パンに表面材を用いた場合において非水口周りの表面材の端部が露出せず、見栄えや取付けの作業性がよい洗い場床パンを提供することを目的とする。
【課題を解決するための手段】
【０００９】
本発明は、上記課題を解決する手段として、以下の構成を有する。
（１）本発明の浴室用洗い場床パンは、架台と、前記架台上に設置され排水口用の開口部を有し前記開口部に向けて傾斜した排水勾配を形成した基材と、前記基材上に設置され、前記基材の上面を覆い耐水性と可撓性及び耐摩耗性を有する表面材と、前記開口部に取付けられ前記排水口の一部を形成するとともに、上端部において排水口の中央側に相対する方向に突出させた外周フランジを有し、下端部において下方に延出する延出管を備えた筒状の排水枡部材と、を備え、前記外周フランジは前記開口部における前記表面材の端部全周を上方より覆うとともに、前記外周フランジの上面を前記表面材の排水勾配面より下方とされ、前記延出管の外周に筒状の枡受部材が取り付けられ、該枡受部材の下端部に前記延出管の外周部を覆って前記延出管と一体化された筒状のトラップ挿入部が一体化され、前記枡受部材の外周部に係合部が形成されるとともに、前記基材の開口部下面側周縁部に段部からなる位置決め部が形成され、前記位置決め部に枠状の排水枡部材受け具が取り付けられ、前記基材開口部に挿通された前記排水枡部材が、前記排水枡部材受け具の内周部を前記係合部に係合して前記枡受部材を抜け止めした前記排水枡部材受け具により水平方向および上下方向に位置決めされたことを特徴とする。
【００１０】
この洗い場床パンによれば、基材上に設置した表面材の上から、排水口用の開口部に排水枡部材を装着し洗い場床パンを構成できる。このとき、排水枡部材の外周フランジが排水口用の開口部周囲における表面材の端部全周を上方より覆っている。これにより、表面  材の端部が露出せず見栄えが良く、表面材の端部より剥がれを生じることがない。
【００１１】
また、フランジの上面を表面材の排水勾配面よりも下方としているので、洗い場床面からの排水が表面材の排水勾配面や排水枡部材の接合部に溜まることが無く、スムーズな排水ができる。
上述の構造により、排水枡部材の水平方向および上下方向の位置決めがなされるので、排水枡部材を排水口部分に精度良く取り付けることができる。このため、排水枡部材の取り付け部分に傾きを生じることがなく、外周フランジによる表面材端部の押さえを確実になし得る。
【００１２】
（２）本発明において、前記排水枡部材の外周面と前記基材の開口部内周面との間に接着剤が充填され、前記外周フランジの下面内周側に環状の止水部材が前記外周フランジと前記基材の開口部周縁とに挟まれて介在されたことが好ましい。
排水枡部材は排水枡部材の外側面と基材の開口部との間に充填した接着材により固定される。この際、止水部材は接着剤の充填時において表面への流出を防ぐバックアップ材として機能する。これにより、接着剤が表面材側にはみ出ることがなく、作業性も良く外観も綺麗になる。
【００１３】
（３）本発明において、前記排水枡部材の外周フランジに前記排水口の中央に向け下方に傾斜した排水勾配を設けることができる。
排水枡部材の外周フランジに排水口の中央側に向いて下降する排水勾配を設けておくならば、洗い場床面の水を表面材の排水勾配から外周フランジの排水勾配に円滑に流すことができ、スムーズな排水ができる。
【発明の効果】
【００１４】
本発明によれば、基材上に設置した表面材の上から、排水口用の開口部に排水枡部材を装着し浴室用洗い場床パンを構成できる。このとき、排水枡部材の外周フランジが排水口用の開口部周囲における表面材の端部全周を上方より覆う構造となるので開口部周りの表面材の端部が露出せず見栄えが良く、表面材の端部より剥がれを生じない。
また、外周フランジの上面を表面材の排水勾配面よりも下方としているので、洗い場床面からの排水が表面材の排水勾配面や排水枡部材の接合部に溜まることなくスムーズな排水ができる。
更に、排水枡部材の外周フランジにも排水口の中央に向け下方に傾斜した排水勾配を設けるならば、洗い場床面の水を排水口内部に向けてスムーズに排水を行うことができる。
【図面の簡単な説明】
【００１５】
【図１】本発明の実施形態における、浴室用洗い場床の斜視図である。
【図２】図１に示す浴室用洗い場床の分解斜視図である。
【図３】同浴室用洗い場床の排水口周りを示す断面図。
【図４】同浴室用洗い場床の縦断面図である。
【発明を実施するための形態】
【００１６】
以下、本発明の実施形態を挙げて本発明の詳細を説明する。
図１は本発明の実施形態における、浴室用洗い場床パンの斜視図である。浴室用洗い場床１０はその下側から順に架台３と、外周縁部材２と、洗い場床パン１とを備え、洗い場床パン１の一方の長辺側中央部近傍に排水枡部材４を備えている。
【００１７】
図２は図１に示す浴室用洗い場床の分解図である。架台３は浴室設置空間の設置面に設置され、洗い場床パン１及び洗い場床パン１にかかる荷重と外周縁部材２及び外周縁部材２にかかる荷重とを受けその位置を保持する。架台３は設置時に建築躯体に合わせて高さ調整されるとともに、床パン設置面となる上方平面が水平になるよう調整され、洗い場床パン１は基材１２と表面材１１にて構成される。
架台３は平面視略矩形の枠状に形成されている。架台３は、矩形枠状の本体部３Ａとこの本体部３Ａのコーナー部下方に立設された複数本（図２の実施形態の場合、４本）の脚部３Ｂと本体部３Ａの内側に組まれた補強桁３Ｄと複数の補強桟３Ｅを備えて構成されている。
外周縁部材２は壁パネルや天井パネルなどの荷重を受けても変形や破損しない強度を有し、例えば、ＦＲＰ等の熱硬化性樹脂、あるいはポリスチレンやポリプロピレンなどの熱可塑性樹脂からなる。
【００１８】
外周縁部材２は中央開口部２ｄを有する略矩枠形となっており、架台３の外周に沿って架台３の上に取り付けられ固定されている。外周縁部材２は一体で成形することもできるが、図２に示すようにコーナー部材２２を別体として設け、短辺側のストレート部材２１及び長辺側のストレート部材２３と接続することで枠状に組み上げることもできる。これにより外周縁部材２をコンパクトにすることができ、例えばストレート部材２１及びストレート部材２３の長さ、種類を複数用意すれば、成形用金型にかかる費用を抑制しながら各サイズの洗い場に対応することができる。例えば、外周縁部材２を一体成形とするならば、それに対応した大型の金型を必要とするが、ストレート部材２１、２３とコーナー部材２２の別体構造とするならば、これらを成形可能な金型を用意すれば良く、金型の小型化、金型費用の削減に寄与する。
【００１９】
洗い場床パン１の底部側を構成する基材１２は架台３および外周縁部材２の上に設置され、基材１２の一方の長辺中央部側近傍に排水口用の開口部５を有しており、開口部５に向けて傾斜した排水勾配面１１ａを形成している。排水勾配面１１ａの開口部５側の終端は排水勾配面よりも急な勾配とした勾配終端部１１ｂを設けている。この勾配終端部１１ｂの勾配が急激に変化すると後述する表面材が勾配の変化に追随できず、排水口の周囲において剥がれや浮きが発生しやすくなることから、表面材１１が剥がれない程度の勾配とすることが望ましい。表面材１１の排水勾配面１１ａと勾配終端部１１ｂはそれらの下の基材１２の上面に、排水傾斜面１２Ａとそれより急峻な傾斜を有する排水終端面１２ｂを形成することで傾斜が規定されている。排水終端面１２ｂは開口部５の周囲に開口部５を取り囲むように形成されている。
なお、洗い場床パン１の外周縁側は外周縁部材２の内周縁部分に載置されているが、開口部５の周辺部分は図３に示すように架台３に支持されている。
【００２０】
基材１２の材質は特に制限されるものではないが、ポリスチレンやポリプロピレンなどの熱可塑性発泡樹脂などを使用することができる。
表面材１１は基材１２の平面サイズと略同一サイズで、基材１２の開口部５と略同一サイズの開口を有しており、基材１２の勾配面側の勾配に合わせて接着されている。
表面材１１には耐水性、耐摩耗性を有する素材でさらに、排水勾配面１１ａから勾配終端部１１ｂにかけての勾配面の変化に追従出来る程度に可撓性を有していることが望ましく、例えば塩化ビニルシートを用いることができる。表面材１１と基材１２とは例えば両面テープや接着剤を用いて貼り付けることができる。
【００２１】
図３は本実施形態に係る、浴室用洗い場床パンの部分断面図である。
排水枡部材４が開口部５に取付けられ、排水口の一部を形成しており、上端部において排水口の中央に相対する方向に突出した矩形枠状の外周フランジ４ａを有している。外周フランジ４ａは洗い場床面の上面視で、外形寸法が開口部５より全周にて一回り大きく、外周フランジ４ａの裏面は表面材１１の勾配終端部１１ｂ上に配置されている。
外周フランジ４ａは開口部５における表面材１１の端部全周を上方より覆っているので、表面材１１の端部を露出させた構造に比べ、見栄えを整えたりする必要がなく生産性の良いものにできる。さらに基材１２と表面材１１の開口部の寸法や位置にバラつきを生じた場合であっても外周フランジ４ａにて覆い隠せるので、修正作業後処理の必要が無く、表面材端部よりの剥がれやめくれ等の発生も防止でき、外観上の不具合を防止する効果を期待できる。
排水枡部材４の形状と開口部５の形状は特に制限されるものではなく、図１、図２のように矩形状の他、円形状にすることもできる。
【００２２】
排水勾配面に上方から排水枡部材４を覆っただけでは、排水勾配面よりも外周フランジ４ａが高くなってしまうことから、スムーズな排水に対して不都合となる。
本実施形態では、勾配終端部１１ｂを排水勾配面１１ａよりも急勾配とし、勾配差を付けることにより、外周フランジ４ａの取付け面を排水勾配面１１ａよりも下方とすることができる。この際、外周フランジ４ａの上面が排水勾配面１１ａよりも下方になるようにし、更に外周フランジ４ａにも排水口中央に向かう傾斜勾配を設けることにより、上方から表面材端部を覆いながらも、排水の妨げとなることのない連続した勾配を得ることができる。
なお、図３に示す断面構造において、排水枡部材４の右側の排水勾配面１１ａは緩斜面であり、勾配終端部１１ｂの方の傾斜が急であるが、排水枡部材４の左側の排水勾配面１１ｃは基材１２の端部に近いので急傾斜にされているため、排水勾配面１１ｃより勾配終端部１１ｂの傾斜が緩やかに設計されている。排水枡部材４の周囲に形成されている勾配終端部１１ｂの傾斜は全て等しく形成されている。
【００２３】
図示はしていないが排水枡部材４には排水枡内部を隠す為に蓋が設けられるが、この蓋は排水枡部材４の内側に設置されるか、あるいは外周フランジ４ａ上に設置される。この構造において利用者が蓋を踏むことが想定されるが、本実施形態による排水枡部材４は開口部５を上方より覆っているので、蓋を介した排水枡部材４に対する上方からの荷重は基材１２及び架台３にて受けることができ、排水枡部材４がはずれたり歪んだりすることがない。
【００２４】
外周フランジ４ａの下面内周側には環状の止水部材４ｂが取付けられており、排水枡部材４を開口部５に装着した際に止水部材４ｂが圧縮され表面材１１と排水枡部材４の繋ぎ目を止水することができる。止水部材４ｂは外周フランジ４ｂの内側に取付け、開口部５の角部近傍にて圧縮することで外周フランジ４ｂの端部は表面材１１と直接接触するようになる。そのため、利用者から止水部材４ｂが見えることなく、外観的に美しく仕上げることができる。またコーキングなどが表面に出ないため、仕上げに関係なく作業ができ効率的であり、さらに、カビなどが発生しにくい。
【００２５】
排水枡部材４は排水枡部材４の外側面と、基材１２の開口部５との間に接着材４ｃを充填して取付けることができ、接着材４ｃには弾性のある素材が望ましく、例えば変性シリコン系やゴム系の接着材を用いることが出来る。この際、前述の止水部材４ｂは接着剤の充填時におけて表面への流出を防ぐバックアップ材として機能することから、接着剤４ｃが表面材１１側にはみ出ることがなく、作業性も良く外観も綺麗なものとなる。排水枡部材４の材質や製法は表面材１１よりも硬度が高いものであれば、特に制限されるものではなく、ポリプロピレンやＡＢＳといった熱可塑性樹脂成形品や、ステンレスといった金属プレス成形品を使用することができ、また複数の素材を組み合わせることもできる。
【００２６】
図４は排水枡部材４と排水枡部材受け具６との係合を説明する断面図である。
排水枡部材４には排水枡部材受け具６と係合する係合部４ｄを有しており、排水枡部材受け具６と係合部４ｄを係合させることにより、基材１２及び表面材１１を上下方向にて挟持している。また基材１２の裏面の開口部周囲には、排水枡部材受け具６の水平方向の位置決めを行う位置決め部１２ａが設けられており、排水枡部材受け具６は位置決め部１２ａに収納されている。位置決め部１２ａは基材１２の底面側において開口部５の周縁側に形成された段部１２ｃの一部として構成され、この段部１２ｃの内側に枠状の排水枡受け具６が嵌め込まれている。排水枡受け具６は、段部１２ｃの内側に嵌め込まれた矩形板状の外周部６Ａとこの外周部６Ａの内側に４５゜程度の傾斜角で斜め下向きに延出された支持片６Ｂとからなる。
【００２７】
排水枡部材４の下方には排水枡部材４の底部を受ける形状の枡受部材７が設置され、この枡受部材７の外周部に前記支持片６Ｂを受ける係合部４ｄが形成され、この係合部４ｄに前記支持片６Ｂが係合されている。この枡受部材７の底部中央には円筒状のトラップ挿入部８が下向きに一体化され、このトラップ挿入部８が排水枡部材４の下部に延出された円筒状の延出管４ｅの外周部を覆っている。
つまり、排水枡部材４は排水枡部材受け具６と係合することによって、排水枡部材受け具６を介して基材１２に設けられた位置決め部１２ａを基準に取付けられる。そのため、排水枡部材４は水平方向および上下方向で位置決めがなされ、排水枡部材４を開口部５に対して傾いたりすることなく狙いどおりの姿勢で取付けることができる。
【００２８】
図３において符号１３で示すものは、延出管４ｅの上端部に嵌め込まれたヘアキャッチャーであり、その下方には封水筒１４が装着されている。この封水筒１４の下方には排水トラップ部１５が設けられ、トラップ挿入部８と排水トラップ部１５とによって接続されている。
【００２９】
排水枡部材４と排水枡部材受け具６の係合方法は、特に制限されるものではないが、ねじ構造や、抜け止めによる係合などを用いることができる。排水部材受け具６の材質は基材より固い材質であれば特に制限されるものではないが、鉄やステンレスといった金属やポリアセタールなどの熱可塑性樹脂を用いることができる。
【符号の説明】
【００３０】
１…洗い場床パン、２…外周縁部材、３…架台、４…排水枡部材、４ａ…外周フランジ、４ｂ…止水部材、４ｃ…接着材、４ｄ…係合部、５…開口部、６…排水枡部材受け具、７…枡受部材、８…トラップ挿入部、１０…浴室洗い場床、１１…表面材、１１ａ…排水勾配面、１１ｂ…勾配終端部、１２…基材、１２ａ…位置決め部、１３…ヘアキャッチャー、１４…封水筒、１５…排水トラップ部。
【図１】
0006719205.tif 000002
【図２】
0006719205.tif 000003
【図３】
0006719205.tif 000004
【図４】
0006719205.tif 000005